(57)【特許請求の範囲】
【請求項１】
撮像レンズであって、物体側から像側へ順次に、
物体側の面が凸面であり、正の屈折力を有する第１のレンズと、
屈折力を有する第２のレンズと、
像側の面が光軸に近い部分で凹面であり且つ少なくとも一つの変曲点を有し、負の屈折力を有する第３のレンズと、
物体側の面が光軸に近い部分で凹面であり且つ少なくとも一つの変曲点を有し、像側の面が凸面であり、正の屈折力を有する第４のレンズと、
像側の面が光軸に近い部分で凹面であり、且つ物体側の面と像側の面とのうち少なくとも一つの面が少なくとも一つの変曲点を有し、負の屈折力を有する第５のレンズと、
像側の面が光軸に近い部分で凹面であり、負の屈折力を有する第６のレンズと、から構成され、
前記撮像レンズは、
ｆ/ｆ６＜-１．０及びｆ/ｆ４＞１．５という関係式を満たし、
ただし、ｆは前記撮像レンズの有効焦点距離であり、ｆ４は前記第４のレンズの有効焦点距離であり、ｆ６は前記第６のレンズの有効焦点距離である、
ことを特徴とする撮影レンズ。
【請求項２】
前記撮像レンズは、Ｔ２３/Ｔ１２＜０．５という関係式を満たし、
ただし、Ｔ１２は前記第１のレンズと当該第２のレンズとの間の光軸での間隔であり、Ｔ２３は前記第２のレンズと当該第３のレンズとの間の光軸での間隔である、
ことを特徴とする請求項１に記載の撮像レンズ。
【請求項３】
前記撮像レンズは、０．５＜ｆ/ｆ１＜１．０及び２．０＜ｆ１/ｆ４＜４．０とう関係式を満たし、
ただし、ｆ１は前記第１のレンズの有効焦点距離である、
ことを特徴とする請求項１に記載の撮像レンズ。
【請求項４】
前記撮像レンズは、ｆ/ｆ５６＜-１．３という関係式を満たし、
ただし、ｆ５６は前記第５のレンズと前記第６のレンズとの合成焦点距離である、
ことを特徴とする請求項１に記載の撮像レンズ。
【請求項５】
前記撮像レンズは、０．６≦Ｙｃ３２/Ｙｃ４１≦０．８５という関係式を満たし、
ただし、Ｙｃ３２は前記第３のレンズの像側の面における前記変曲点から光軸までの垂直距離であり、Ｙｃ４１は前記第４のレンズの物体側の面における前記変曲点から光軸までの垂直距離である、
ことを特徴とする請求項１に記載の撮像レンズ。
【請求項６】
前記撮像レンズは、ＩｍｇＨ/ｆ≧０．９という関係式を満たし、
ただし、ＩｍｇＨは結像面における有効画素領域の対角線の長さの半分である、
ことを特徴とする請求項１に記載の撮像レンズ。
【請求項７】
前記第６のレンズの物体側の面が光軸に近い部分で凸面であり、且つ前記第６のレンズの物体側の面と像側の面とのうち少なくとも一つの面が少なくとも一つの変曲点を有する、
ことを特徴とする請求項１〜６のいずれかに記載の撮像レンズ。
【請求項８】
前記第１のレンズの像側の面が凹面であり、
前記第３のレンズの物体側の面が光軸に近い部分で凸面である、
ことを特徴とする請求項７に記載の撮像レンズ。
【発明の詳細な説明】
【技術分野】
【０００１】
［関連出願の相互参照］
本出願は、２０１５年９月８日に中国国家知識産権局に提出された特許出願番号が２０１５１０５６６９５２．４である特許出願の優先権及び権益を主張するものであり、当該中国特許出願の全内容は参照により本明細書に組み入れられる。
【０００２】
本発明は、撮影分野に関し、より具体的には、高画素の薄型撮像レンズに関するものである。
【背景技術】
【０００３】
一般的には、光学系の感光素子とは、電荷結合素子（ＣＣD)或いは相補型金属酸化膜半導体素子(ＣＯＭＳ)という二種類に過ぎない。チップテクノロジーの発展に伴い、感光素子の画素サイズが絶えずに縮小され、携帯電話或いはデジタルカメラなどの電子製品に搭載される撮影レンズも次第に高画素、小型化及び大画角などの分野に向けて発展されている。
【０００４】
通常な撮影レンズは、高画素及び大画角を満たすために、大口径のレンズを用いる必要があり、これにより照度に対する需要を満たすことができる。しかしながら、その大画角及び大相対口径という特徴であることから、サイズも比較的長く、高画素の感光チップとマッチングする要求を満たすのが難しく、主に、解像力が足りなく、歪みが大きく、主光線の出射角が大きいということが現れる。
【発明の概要】
【発明が解決しようとする課題】
【０００５】
本発明の目的は、従来技術における少なくとも一つの技術的課題を解決することである。そのため、本発明は、撮像レンズを提供する必要がある。
【課題を解決するための手段】
【０００６】
撮像レンズであって、物体側から像側へ順次に、
物体側の面が凸面であり、正の屈折力を有する第１のレンズと、
屈折力を有する第２のレンズと、
像側の面が光軸に近い部分で凹面であり且つ少なくとも一つの変曲点を有し、負の屈折力を有する第３のレンズと、
物体側の面が光軸に近い部分で凹面であり且つ少なくとも一つの変曲点を有し、像側の面が凸面であり、正の屈折力を有する第４のレンズと、
像側の面が光軸に近い部分で凹面であり、且つ物体側の面と像側の面とのうち少なくとも一つの面が少なくとも一つの変曲点を有し、負の屈折力を有する第５のレンズと、
像側の面が光軸に近い部分で凹面であり、負の屈折力を有する第６のレンズと、から構成され、
当該撮像レンズは、ｆ/ｆ６＜-１．０及びｆ/ｆ４＞１．５という関係式を満たし、
ただし、ｆは当該撮像レンズの有効焦点距離であり、ｆ４は当該第４のレンズの有効焦点距離であり、ｆ６は当該第６のレンズの有効焦点距離である。
【０００７】
上記配置を満たした撮影レンズは、高画素を確保する同時に、画角を拡大し、大画角の需要を満たし、チップとのマッチング度を効果的に向上させ、高解像力を実現し、撮影レンズの小型化を確保するのに有利である。
【０００８】
一つの実施形態において、当該撮像レンズは、Ｔ２３/Ｔ１２＜０．５という関係式を満たし、
ただし、Ｔ１２は当該第１のレンズと当該第２のレンズとの間の光軸での間隔であり、Ｔ２３は当該第２のレンズと当該第３のレンズとの間の光軸での間隔である。
【０００９】
一つの実施形態において、当該撮像レンズは、０．５＜ｆ/ｆ１＜１．０及び２．０＜ｆ１/ｆ４＜４．０とう関係式を満たし、
ただし、ｆ１は当該第１のレンズの有効焦点距離である。
【００１０】
一つの実施形態において、当該撮像レンズは、ｆ/ｆ５６＜-１．３という関係式を満たし、
ただし、ｆ５６は当該第５のレンズと当該第６のレンズとの合成焦点距離である。
【００１１】
一つの実施形態において、当該撮像レンズは、０．６≦Ｙｃ３２/Ｙｃ４１≦０．８５という関係式を満たし、
ただし、Ｙｃ３２は当該第３のレンズの像側の面における当該変曲点から光軸までの垂直距離であり、Ｙｃ４１は当該第４のレンズの物体側の面における当該変曲点から光軸までの垂直距離である。
【００１２】
一つの実施形態において、当該撮像レンズは、ＩｍｇＨ/ｆ≧０．９という関係式を満たし、
ただし、ＩｍｇＨは結像面における有効画素領域の対角線の長さの半分である。
【００１３】
一つの実施形態において、当該第６のレンズの物体側の面が光軸に近い部分で凸面であり、且つ当該第６のレンズの物体側の面と像側の面とのうち少なくとも一つの面が少なくとも一つの変曲点を有する。
【００１４】
一つの実施形態において、当該第１のレンズの像側の面が凹面であり、当該第３のレンズの物体側の面が光軸に近い部分で凸面である。
【００１５】
本発明の付加的な特徴及び利点は、一部が以下の説明に示され、一部が以下の説明により明らかになり、或いは本発明の実施により理解される。
【図面の簡単な説明】
【００１６】
本発明の上記及び／又は付加的な特徴及び利点は、下記の図面を参照した実施例を説明することにより、明らかになり、理解され易くなる。その中、
【図１】実施例１の撮像レンズの構成概略図である。
【図２】実施例１の撮像レンズの軸上色収差図(ｍｍ)である。
【図３】実施例１の撮像レンズの非点収差図(ｍｍ) である。
【図４】実施例１の撮像レンズの歪み図(％)である。
【図５】実施例１の撮像レンズの倍率色収差図(ｕｍ)である；
【図６】実施例２の撮像レンズの構成概略図である。
【図７】実施例２の撮像レンズの軸上色収差図(ｍｍ)ある。
【図８】実施例２の撮像レンズの非点収差図(ｍｍ)である。
【図９】実施例２の撮像レンズの歪み図(％)である。
【図１０】実施例２の撮像レンズの倍率色収差図(ｕｍ)である。
【図１１】実施例３の撮像レンズの構成概略図である。
【図１２】実施例３の撮像レンズの軸上色収差図(ｍｍ)である。
【図１３】実施例３の撮像レンズの非点収差図(ｍｍ)である。
【図１４】実施例３の撮像レンズの歪み図(％)である。
【図１５】実施例３の撮像レンズの倍率色収差図(ｕｍ)である。
【図１６】実施例４の撮像レンズの構成概略図である。
【図１７】実施例４の撮像レンズの軸上色収差図(ｍｍ)である。
【図１８】実施例４の撮像レンズの非点収差図(ｍｍ)である。
【図１９】実施例４の撮像レンズの歪み図(％)である。
【図２０】実施例４の撮像レンズの倍率色収差図(ｕｍ)である。
【図２１】実施例５の撮像レンズの構成概略図である。
【図２２】実施例５の撮像レンズの軸上色収差図(ｍｍ)である。
【図２３】実施例５の撮像レンズの非点収差図(ｍｍ)である。
【図２４】実施例５の撮像レンズの歪み図(％)である。
【図２５】実施例５の撮像レンズの倍率色収差図(ｕｍ)である。
【図２６】実施例６の撮像レンズの構成概略図である。
【図２７】実施例６の撮像レンズの軸上色収差図(ｍｍ)である。
【図２８】実施例６の撮像レンズの非点収差図(ｍｍ)である。
【図２９】実施例６の撮像レンズの歪み図(％)である。
【図３０】実施例６の撮像レンズの倍率色収差図(ｕｍ)である。
【図３１】実施例７の撮像レンズの構成概略図である。
【図３２】実施例７の撮像レンズの軸上色収差図(ｍｍ)である。
【図３３】実施例７の撮像レンズの非点収差図(ｍｍ)である。
【図３４】実施例７の撮像レンズの歪み図(％)である。
【図３５】実施例７の撮像レンズの倍率色収差図(ｕｍ)である。
【図３６】実施例８の撮像レンズの構成概略図である。
【図３７】実施例８の撮像レンズの軸上色収差図(ｍｍ)である。
【図３８】実施例８の撮像レンズの非点収差図(ｍｍ)である。
【図３９】実施例８の撮像レンズの歪み図(％)である。
【図４０】実施例８の撮像レンズの倍率色収差図(ｕｍ)である。
【図４１】実施例９の撮像レンズの構成概略図である。
【図４２】実施例９の撮像レンズの軸上色収差図(ｍｍ)である。
【図４３】実施例９の撮像レンズの非点収差図(ｍｍ)である。
【図４４】実施例９の撮像レンズの歪み図(％)である。
【図４５】実施例９の撮像レンズの倍率色収差図(ｕｍ)である。
【図４６】実施例１０の撮像レンズの構成概略図である。
【図４７】実施例１０の撮像レンズの軸上色収差図(ｍｍ)である。
【図４８】実施例１０の撮像レンズの非点収差図(ｍｍ)である。
【図４９】実施例１０の撮像レンズの歪み図(％)である。
【図５０】実施例１０の撮像レンズの倍率色収差図(ｕｍ)である。
【発明を実施するための形態】
【００１７】
以下に、本発明の実施例を詳細に説明する。前記実施例の例が図面に示されるが、同一又は類似する符号は、常に、同一又は類似する部品、或いは同一又は類似する機能を有する部品を表す。以下に、図面を参照しながら説明される実施例は例示的なものであり、本発明を解釈するためだけに用いられ、本発明を限定するものと理解してはいけない。
【００１８】
本発明の説明において、「第１」、「第２」の用語は目的を説明するためだけに用いられるものであり、比較的な重要性を指示又は暗示するか、或いは示された技術的特徴の数を黙示的に指示すると理解してはいけない。そこで、「第１」、「第２」が限定されている特徴は一つ又はより多くの前記特徴を含むことを明示又は暗示するものである。本発明の説明において、明確且つ具体的な限定がない限り、「複数」とは、二つ又は二つ以上を意味する。
【００１９】
なお、本発明の説明において、明確な規定及び限定がない限り、「取り付け」、「互いに接続」、「接続」という用語の意味は広く理解されるべきである。例えば、固定接続や、着脱可能な接続や、或いは一体的な接続でも可能である。机械的な接続や、電気的な接続や、或いは互いに通信することも可能である。直接的に接続することや、中間媒体を介して間接的に接続することや、二つの部品の内部が連通することや、あるいは二つの部品の間に相互の作用関係があることも可能である。当業者にとって、具体的な場合によって上記用語の本発明においての具体的な意味を理解することができる。
【００２０】
以下の説明において、多くの異なる実施例又は例を提供するすることにより本発明の異なる構成を実現する。本発明の説明を簡素化するため、以下に特定の例の部材及び配置について説明する。勿論、これらは例示に過ぎず、本発明を限定することを意図していない。また、本発明は、異なる例において参考数字及び／又は参考アルファベットを重複することができる。このような重複は、簡素化及び明瞭するためであり、それ自体は検討する各種の実施例及び／又は配置の間の関係を示すものではない。また、本発明は、さまざまな特定のプロセス及び材料の例を挙げているが、当業者は、他のプロセスの適用及び／又は他の材料の使用も考えることが可能である。
【００２１】
図１を参照すると、本発明の好ましい実施例の撮像レンズは、物体側から像側へ順次に、
物体側の面Ｓ１が凸面であり、正の屈折力を有する第１のレンズＥ１と、
屈折力を有する第２のレンズＥ２と、
像側の面Ｓ６が光軸に近い部分で凹面であり且つ少なくとも一つの変曲点を有し、負の屈折力を有する第３のレンズＥ３と、
物体側の面Ｓ７が光軸に近い部分で凹面であり且つ少なくとも一つの変曲点を有し、像側の面Ｓ８が凸面であり、正の屈折力を有する第４のレンズＥ４と、
像側の面Ｓ９が光軸に近い部分で凹面であり、且つ物体側の面Ｓ９と像側の面Ｓ１０とのうち少なくとも一つの面が少なくとも一つの変曲点を有し、負の屈折力を有する第５のレンズＥ５と、
像側の面Ｓ１２が光軸に近い部分で凹面であり、負の屈折力を有する第６のレンズＥ６と、を含み、
当該撮像レンズは、ｆ/ｆ６＜-１．０及びｆ /ｆ４＞１．５という関係式を満たし、
ただし、ｆは当該撮像レンズの有効焦点距離であり、ｆ４は第４のレンズＥ４の有効焦点距離であり、ｆ６は第６のレンズＥ６の有効焦点距離である。
【００２２】
上記配置を満たした撮影レンズは、高画素を確保する同時に、画角を拡大し、大画角の需要を満たし、チップとのマッチング度を効果的に向上させ、高解像力を実現し、撮影レンズの小型化を確保するのに有利である。
【００２３】
好ましくは、当該撮影レンズは、Ｔ２３/Ｔ１２＜０．５という関係式を満たし、
ただし、Ｔ１２は第１のレンズＥ１と第２のレンズＥ２との間の光軸での間隔であり、Ｔ２３は第２のレンズＥ２と第３のレンズとの間の光軸での間隔である。
【００２４】
上記式の要求を満たした撮影レンズは、各レンズ間の間隔を減らし、撮影レンズの全長を短縮し、撮影レンズの小型化をさらに確保するのに有利である。
【００２５】
好ましくは、当該撮像レンズは、０．５＜ｆ/ｆ１＜１．０及び２．０＜ｆ１/ｆ４＜４．０とう関係式を満たし、
ただし、ｆは当該撮影レンズの有効焦点距離であり、ｆ１は第１のレンズＥ１の有効焦点距離であり、ｆ４は第４のレンズＥ２の有効焦点距離である。
【００２６】
上記式の要求を満たした撮影レンズは、システムの焦点力を合理的配分し、システムの収差を効果的に補正し、結像品質を向上させるのに有利である。
【００２７】
好ましくは、当該撮像レンズは、ｆ/ｆ５６＜-１．３という関係式を満たし、
ただし、ｆは当該撮影レンズの有効焦点距離であり、ｆ５６は第５のレンズＥ５と第６のレンズＥ６との合成焦点距離である。
【００２８】
上記式の要求を満たした撮影レンズは、システムの焦点力を均衡的にし、歪みをよく補正し、システムのエッジの収差を効果的に減らすのに有利である。
【００２９】
好ましくは、当該撮像レンズは、０．６≦Ｙｃ３２/Ｙｃ４１≦０．８５という関係式を満たし、
ただし、Ｙｃ３２は第３のレンズＥ３の像側の面における変曲点から光軸までの垂直距離であり、Ｙｃ４１は第４のレンズＥ４の物体側の面における変曲点から光軸までの垂直距離である。
【００３０】
上記式の要求を満たした撮影レンズは、エッジにおける主光線の像面入射角を減らすのに有利であり、感光効率を確保し、像面の全体の輝度を均一的にし、高解像力という要求を満たす。
【００３１】
好ましくは、当該撮像レンズは、ＩｍｇＨ/ｆ≧０．９という関係式を満たし、
ただし、ｆは当該撮影レンズの有効焦点距離であり、ＩｍｇＨは結像面における有効画素領域の対角線の長さの半分である。
【００３２】
上記式の要求を満たした撮影レンズは、撮影レンズの画角を拡大することに有利であり、大画角を満たすとともに、撮影レンズの小型化を確保する。
【００３３】
好ましくは、当該撮影レンズにおける第６のレンズＥ６の物体側の面Ｓ１１が光軸に近い部分で凸面であり、且つ第６のレンズＥ６の物体側の面Ｓ１１と像側の面Ｓ１２とのうち少なくとも一つの面が少なくとも一つの変曲点を有する。
【００３４】
好ましくは、当該撮影レンズにおける第１のレンズＥ１の像側の面Ｓ２が凹面であり、第３のレンズＥ３の物体側の面Ｓ５が光軸に近い部分で凸面である。
【００３５】
レンズの形状に対する以上の要求を満たした撮像レンズは、撮像レンズのエッジの相対照度をより一層に向上させ、撮影レンズの解像力を高めるとともに、各レンズ間の間隔を合理的に配分し、撮影レンズの構成を相対的コンパクトにし、撮影レンズの体積を効果的に縮小させ、携帯用電子製品に適する高画素及び小型化という需要に満たすことができる。
【００３６】
結像する際、光線が六枚のレンズを通過した後、物体側の表面Ｓ１３及び像体側の表面Ｓ１４を有するフィルタＥ７を通過して結像面Ｓ１５に結像する。
【００３７】
ある一部の実施例において、第１のレンズＥ１と、第２のレンズＥ２と、第３のレンズＥ３と、第４のレンズＥ４と、第５のレンズＥ５と、第６のレンズＥ６とは、いずれも非球面レンズである。
【００３８】
非球面の面形状は、
0006507256.tif 000002
という式によって決定され、ただし、ｈは非球面上の任意の点から光軸までの高さであり、ｃは頂点曲率であり、ｋは円錐定数であり、Ａｉは非球面のｉ-ｔｈ階目の補正係数である。
【００３９】
実施例１
図１〜図５に合わせて、実施例１において、撮影レンズは、以下の表１及び表２の条件を満たす。
【表１】
0006507256.tif 000003
【表２】
0006507256.tif 000004
【００４０】
一方、ｆ１＝４．３４ｍｍ、ｆ２＝６３．７８ｍｍ、ｆ３＝−１０．０１ｍｍ、ｆ４＝１．７７ｍｍ、ｆ５＝−１５．３４ｍｍ、ｆ６＝−２．２３ｍｍ、ｆ＝２．９７ｍｍ、ＨＦＯＶ＝４６．９°、ＴＴＬ＝４．４５ｍｍ、Ｆｎｏ＝２．０である。
【００４１】
実施例２
図６〜図１０に合わせて、実施例２において、撮影レンズは、以下の表３及び表４の条件を満たす。
【表３】
0006507256.tif 000005
【表４】
0006507256.tif 000006
【００４２】
一方、ｆ１＝４．４７ｍｍ、ｆ２＝７５．３２ｍｍ、ｆ３＝−１４．７２ｍｍ、ｆ４＝１．５６ｍｍ、ｆ５＝−６．６５ｍｍ、ｆ６＝−２．２６ｍｍ、ｆ＝２．９７ｍｍ、ＨＦＯＶ＝４７．０°、ＴＴＬ＝４．３７ｍｍ、Ｆｎｏ＝２．０である。
【００４３】
実施例３
図１１〜図１５に合わせて、実施例３において、撮影レンズは、以下の表５及び表６の条件を満たす。
【表５】
0006507256.tif 000007
【表６】
0006507256.tif 000008
【００４４】
一方、ｆ１＝４．３３ｍｍ、ｆ２＝-１２６．４２ｍｍ、ｆ３＝−１４．３８ｍｍ、ｆ４＝１．５２ｍｍ、ｆ５＝−６．１５ｍｍ、ｆ６＝−２．２５ｍｍ、ｆ＝２．９７ｍｍ、ＨＦＯＶ＝４６．８°、ＴＴＬ＝４．３９ｍｍ、Ｆｎｏ＝２．０である。
【００４５】
実施例４
図１６〜図２０に合わせて、実施例４において、撮影レンズは、以下の表７及び表８の条件を満たす。
【表７】
0006507256.tif 000009
【表８】
0006507256.tif 000010
【００４６】
一方、ｆ１＝４．０７ｍｍ、ｆ２＝２４．８１ｍｍ、ｆ３＝−６．１８ｍｍ、ｆ４＝１．５５ｍｍ、ｆ５＝−７．２９ｍｍ、ｆ６＝−２．３５ｍｍ、ｆ＝２．９２ｍｍ、ＨＦＯＶ＝４５．５°、ＴＴＬ＝４．３７ｍｍ、Ｆｎｏ＝２．０である。
【００４７】
実施例５
図２１〜図２５に合わせて、実施例５において、撮影レンズは、以下の表９及び表１０の条件を満たす。
【表９】
0006507256.tif 000011
【表１０】
0006507256.tif 000012
【００４８】
一方、ｆ１＝４．３２ｍｍ、ｆ２＝−３３．５４ｍｍ、ｆ３＝−１６．６１ｍｍ、ｆ４＝１．５３ｍｍ、ｆ５＝−６．０７ｍｍ、ｆ６＝−２．３４ｍｍ、ｆ＝２．９５ｍｍ、ＨＦＯＶ＝４５．４°、ＴＴＬ＝４．３８ｍｍ、Ｆｎｏ＝２．０である。
【００４９】
実施例６
図２６〜図３０に合わせて、実施例６において、撮影レンズは、以下の表１１及び表１２の条件を満たす。
【表１１】
0006507256.tif 000013
【表１２】
0006507256.tif 000014
【００５０】
一方、ｆ１＝４．４０ｍｍ、ｆ２＝４４．８６ｍｍ、ｆ３＝-１０．０ｍｍ、ｆ４＝１．７６ｍｍ、ｆ５＝−１０．５６ｍｍ、ｆ６＝−２．３３ｍｍ、ｆ＝２．９７ｍｍ、ＨＦＯＶ＝４７．０°、ＴＴＬ＝４．４３ｍｍ、Ｆｎｏ＝２．０である。
【００５１】
実施例７
図３１〜図３５に合わせて、実施例７において、撮影レンズは、以下の表１３及び表１４の条件を満たす。
【表１３】
0006507256.tif 000015
【表１４】
0006507256.tif 000016
【００５２】
一方、ｆ１＝４．４０ｍｍ、ｆ２＝１３１．９６ｍｍ、ｆ３＝-１０．９７ｍｍ、ｆ４＝１．７７ｍｍ、ｆ５＝−１２．８４ｍｍ、ｆ６＝−２．２８ｍｍ、ｆ＝２．９７ｍｍ、ＨＦＯＶ＝４７．０°、ＴＴＬ＝４．４４ｍｍ、Ｆｎｏ＝２．０である。
【００５３】
実施例８
図３６〜図４０に合わせて、実施例８において、撮影レンズは、以下の表１５及び表１６の条件を満たす。
【表１５】
0006507256.tif 000017
【表１６】
0006507256.tif 000018
【００５４】
一方、ｆ１＝３．９５ｍｍ、ｆ２＝-７１．４５ｍｍ、ｆ３＝-１１．９１ｍｍ、ｆ４＝１．５５ｍｍ、ｆ５＝−６．１７ｍｍ、ｆ６＝−２．３７ｍｍ、ｆ＝２．９５ｍｍ、ＨＦＯＶ＝４７．０°、ＴＴＬ＝４．４０ｍｍ、Ｆｎｏ＝２．０である。
【００５５】
実施例９
図４１〜図４５に合わせて、実施例９において、撮影レンズは、以下の表１７及び表１８の条件を満たす。
【表１７】
0006507256.tif 000019
【表１８】
0006507256.tif 000020
【００５６】
一方、ｆ１＝４．２２ｍｍ、ｆ２＝８０．３９ｍｍ、ｆ３＝-１０．４７ｍｍ、ｆ４＝１．６８ｍｍ、ｆ５＝−６．０６ｍｍ、ｆ６＝−２．２６ｍｍ、ｆ＝２．９７ｍｍ、ＨＦＯＶ＝４５．４°、ＴＴＬ＝４．３３ｍｍ、Ｆｎｏ＝２．０である。
【００５７】
実施例１０
図４６〜図５０に合わせて、実施例１０において、撮影レンズは、以下の表１９及び表２０の条件を満たす。
【表１９】
0006507256.tif 000021
【表２０】
0006507256.tif 000022
【００５８】
一方、ｆ１＝４．４８ｍｍ、ｆ２＝-６３．６３ｍｍ、ｆ３＝-２１．１４ｍｍ、ｆ４＝１．５０ｍｍ、ｆ５＝−４．２２ｍｍ、ｆ６＝−２．６４ｍｍ、ｆ＝３．０１ｍｍ、ＨＦＯＶ＝４４．９°、ＴＴＬ＝４．４５ｍｍ、Ｆｎｏ＝２．０である。
【００５９】
実施例１〜１０において、各条件式は、以下の表の条件を満たす。
0006507256.tif 000023
【００６０】
本発明の説明において、「一つの実施例」、「一部の実施例」、「例示的な実施例」、「例」、「具体的な例」、或いは「一部の例」などの用語を参考した説明とは、前記実施例或いは例に合わせて説明された具体的な特徴、構成、材料或いは特徴が、本発明の少なくとも一つの実施例或いは例に含まれることを意味する。本明細書において、上記用語に対する例示的な説明は、必ずしも同じ実施例或いは例を示すことではない。また、説明された具体的な特徴、構成、材料或いは特徴は、いずれか一つ或いは複数の実施例又は例において適切に結合することができる。
【００６１】
なお、「第１」、「第２」という用語は目的を説明するだけに用いられるものであり、相対的な重要性を指示又は示唆すること、又は示された技術的特徴の数を黙示的に指示すると理解してはいけない。そこで、「第１」、「第２」が限定されている特徴は少くとも一つの当該特徴を含むことを明示又は暗示するものである。本発明の説明において、明確且つ具体的な限定がない限り、「複数」とは、少くとも二つ、例えば二つ又は三つなどを意味する。
【００６２】
本発明の実施例を示して説明したが、なお、上記実施例は例示的なものであり、本発明を限定するものであると理解してはいけない。当業者は、本発明の範囲内において、これらの実施例に対して各種の変化、修正、取り替え及び変形を行うことができる。
【図１】
0006507256.tif 000024
【図２】
0006507256.tif 000025
【図３】
0006507256.tif 000026
【図４】
0006507256.tif 000027
【図５】
0006507256.tif 000028
【図６】
0006507256.tif 000029
【図７】
0006507256.tif 000030
【図８】
0006507256.tif 000031
【図９】
0006507256.tif 000032
【図１０】
0006507256.tif 000033
【図１１】
0006507256.tif 000034
【図１２】
0006507256.tif 000035
【図１３】
0006507256.tif 000036
【図１４】
0006507256.tif 000037
【図１５】
0006507256.tif 000038
【図１６】
0006507256.tif 000039
【図１７】
0006507256.tif 000040
【図１８】
0006507256.tif 000041
【図１９】
0006507256.tif 000042
【図２０】
0006507256.tif 000043
【図２１】
0006507256.tif 000044
【図２２】
0006507256.tif 000045
【図２３】
0006507256.tif 000046
【図２４】
0006507256.tif 000047
【図２５】
0006507256.tif 000048
【図２６】
0006507256.tif 000049
【図２７】
0006507256.tif 000050
【図２８】
0006507256.tif 000051
【図２９】
0006507256.tif 000052
【図３０】
0006507256.tif 000053
【図３１】
0006507256.tif 000054
【図３２】
0006507256.tif 000055
【図３３】
0006507256.tif 000056
【図３４】
0006507256.tif 000057
【図３５】
0006507256.tif 000058
【図３６】
0006507256.tif 000059
【図３７】
0006507256.tif 000060
【図３８】
0006507256.tif 000061
【図３９】
0006507256.tif 000062
【図４０】
0006507256.tif 000063
【図４１】
0006507256.tif 000064
【図４２】
0006507256.tif 000065
【図４３】
0006507256.tif 000066
【図４４】
0006507256.tif 000067
【図４５】
0006507256.tif 000068
【図４６】
0006507256.tif 000069
【図４７】
0006507256.tif 000070
【図４８】
0006507256.tif 000071
【図４９】
0006507256.tif 000072
【図５０】
0006507256.tif 000073